(57)【要約】【課題】            従来のスクリューフィーダにあっては搬送する粉体等の重力荷重が回転軸にかかり、これを撓ませてしまうため、軸端の棒状部分が回転時に味噌擂り状に暴れ、著しくシール部材を早期に磨耗させてしまうという点である。【解決手段】        スクリューフィーダの回転軸シール構造はケーシングに内蔵されたスクリューフィーダの回転軸のケーシングから突出された端部に位置をずらせてベアリング機構とシール機構を設けたスクリューフィーダの回転軸シール構造において、前記回転軸シール機構はケーシングの外側に装備されるシールハウジング内に、回転軸と接するシール材と、そのシール材の外側に可撓性を有する変位吸収材を同芯状に重ねて備えていることとする。【選択図】          図１
2009126666.tif 000002
【特許請求の範囲】
【請求項１】
ケーシングに内蔵されたスクリューフィーダの回転軸のケーシングから突出された端部に位置をずらせてベアリング機構とシール機構を設けたスクリューフィーダの回転軸シール構造において、前記回転軸シール機構はケーシングの外側に装備されるシールハウジング内に、回転軸と接するシール材と、そのシール材の外側に可撓性を有する変位吸収材を同芯状に重ねて備えていることを特徴とするスクリューフィーダの回転軸シール構造。
【請求項２】
前記したシール材はオイルシールとしたことを特徴とする請求項１に記載のスクリューフィーダの回転軸シール構造。
【請求項３】
前記した変位吸収材はＯリングとしたことを特徴とする請求項１または請求項２に記載のスクリューフィーダの回転軸シール構造。
【請求項４】
ケーシングの側面から突出されたスクリューフィーダの回転軸に、ケーシングの外部で、予めシール材と変位吸収材を同芯状に備えたシールハウジングを嵌め付け、その後回転軸の軸端に、ベアリングユニットを嵌着し、そのベアリングユニットに取り付けられた支持金具をケーシングの側面に固定することを特徴とするスクリューフィーダの回転軸シール構造の組立方法。
【発明の詳細な説明】
【技術分野】
【０００１】
本発明はスクリューフィーダ、特に粉体や顆粒体をケーシングの一部に設けられた貯蔵ホッパーから定量的に排出し、搬送するためのスクリューコンベアを用いたスクリューフィーダに関し、特にその回転軸シール構造及びその組立方法の改良に関する。
【背景技術】
【０００２】
従来、上記したスクリューフィーダは、スクリューコンベアを内蔵したケーシングを地表あるいは床面と平行な横向きに設置され、ケーシングの一部上面に連接された貯蔵ホッパーから順次定量的に粉体等が投入され、その粉体等を回転する螺旋状羽根で搬送し、最終的にケーシングから他の容器等へ移送する。
【０００３】
しかし、この装置では搬送距離にもよるが、スクリューの軸は長く、搬送される粉体等の重力荷重が鉛直方向にかかるため、このスクリューの軸（回転軸）が撓んでしまう。また、このスクリューコンベアを内蔵するケーシングも長いものとなり、溶接等によって製作された後に機械加工を行なうことは困難である。
【０００４】
一方、スクリューの軸端には通常ベアリングと、グランドパッキンやオイルシール等によって構成されるシール装置が装備され、このベアリングとシール装置は位置をずらして（間隔を隔てて）配置される。ここで、軸が撓んでしまうことで、スクリュー軸端となる棒状部分を回転軸全体の軸芯に対してブレが無いように製作することは難しい。このため、ベアリングの芯を中心として軸が回転するとき、シール装置と対応する部分は軸が味噌擂り状に暴れた回転となってしまい、これに起因してシール部材が著しく早期に磨耗してしまうものとなっていた。
【特許文献１】出願人は本願発明に関して、先行する技術文献を調査したが、格別に本願発明と関連し、類似すると思われる文献は発見する事が出来なかった。
【発明の開示】
【発明が解決しようとする課題】
【０００５】
本発明が解決しようとする問題点は、従来のスクリューフィーダにあっては搬送する粉体等の重力荷重が回転軸にかかり、これを撓ませてしまうため、軸端の棒状部分が回転時に味噌擂り状に暴れ、著しくシール部材を早期に磨耗させてしまうという点である。
【課題を解決するための手段】
【０００６】
この問題点を解決するために、本発明に係るスクリューフィーダの回転軸シール構造はケーシングに内蔵されたスクリューフィーダの回転軸のケーシングから突出された端部に位置をずらせてベアリング機構とシール機構を設けたスクリューフィーダの回転軸シール構造において、前記回転軸シール機構はケーシングの外側に装備されるシールハウジング内に、回転軸と接するシール材と、そのシール材の外側に可撓性を有する変位吸収材を同芯状に重ねて備えていることを特徴とし、前記したシール材はオイルシールとしたことを特徴とし、前記した変位吸収材はＯリングとしたことを特徴としている。
【０００７】
また、本発明に係るスクリューフィーダの回転軸シール構造の組立方法はケーシングの側面から突出されたスクリューフィーダの回転軸に、ケーシングの外部で、予めシール材と変位吸収材を同芯状に備えたシールハウジングを嵌め付け、その後回転軸の軸端に、ベアリングユニットを嵌着し、そのベアリングユニットに取り付けられた支持金具をケーシングの側面に固定することを特徴としている。
【発明の効果】
【０００８】
上記したように、本願に係るスクリューフィーダの回転軸シール構造によると、シール機構はシール材の外側に変位吸収材を同芯状に重ねて備えているため、撓んだ回転軸の軸端が味噌擂り状に暴れたとしてもその変位を有効に吸収し、シール材は軸芯変位に追従することとなって、このシール材の寿命を長いものとする事が出来る。
【０００９】
また、本発明によれば芯出し（芯を合わせる作業）が不要となって組立が容易となり、シール材の交換も容易となってメンテナンス作業に対しても優れたものとなる。
【発明を実施するための最良の形態】
【００１０】
図面として示し、実施例で説明したように構成することで実現した。
【実施例１】
【００１１】
次に、本発明の好ましい実施の一例を図面を参照して説明する。図１は本発明を実施したスクリューフィーダの回転軸シール構造を示す要部断面図である。
【００１２】
この図１にあって符号１は横長に設定されているケーシングを示しており、２はそのケーシング１の上面を覆うカバーである。このカバー２の一部に図示しない透孔が穿設され、粉体等の被搬送物の貯蔵ホッパーが連接される。
【００１３】
また、前記したケーシング１の側壁１ａには挿通孔１ｂが穿設され、この挿通孔１ｂの内壁面は内方から外方に向けて小径となる擂鉢状に形成されている。この挿通孔１ｂにはケーシング１内から、螺旋状羽根４を周囲に形成した回転軸３の軸端棒状部３ａが外部へ突出されて嵌め付けられている。
【００１４】
この突出された棒状部３ａの突端には内輪と外輪を有し、その内輪と外輪で構成される軌道にボールを介在させたボールベアリング６ａを組み付けたベアリングユニット６が被冠状態で嵌着されている。また、このベアリングユニット６はベアリング支持金物５と連接され、このベアリング支持金物５の取付フランジ５ａがボルトによってケーシング１の側壁１ａの外面に止着されている。この構造にあってベアリング支持金物５はケーシング１の側壁１ａとベアリングユニット６とのスペーサとしても作用するものとなっている。
【００１５】
前記したベアリング支持金物５内の空間内ではシールハウジング７が棒状部３ａへ嵌装され、その取付フランジ７ａがボルトによってケーシング１の側壁１ａの外面に止着されている。このシールハウジング７内には、その内壁面に沿って複数本のＯリング８が嵌入され、そのＯリング８の内側に複数のオイルシール９が同芯状に重合して備えられ、このオイルシール９が回転軸３の棒状部３ａの外周面と摺接するものとなっている。
【００１６】
本発明に係るスクリューフィーダの回転軸シール構造は上記のように構成されており、次いで、このシール構造の組立方法を説明する。まず、予めシールハウジング７内にＯリング８及びオイルシール９を同芯状に重合して嵌入セットしたものを用意しておく。そして、スクリューコンベアを構成する回転軸３の軸端である棒状部３ａを挿通孔１ｂに挿通し、ケーシング１の側壁１ａから外部へ突出させる。
【００１７】
続いて、その突出された棒状部３ａに用意されているシールハウジング７を嵌め付け、ケーシング１の側壁１ａの外面にボルトで止着する。この際、取付フランジ７ａと側壁１ａとの間に可撓性のある材質のシール等を挟み込めば、さらに回転軸３の棒状部３ａの変位吸収性を向上させる事が出来る。このシールは特に図示していないが、Ｏリングやシートパッキング等で可能であり、格別に特定されるものではない。
【００１８】
そして、突出され、多少の摺動が可能となっている棒状部３ａの軸端に、ベアリング支持金物５を装着したベアリングユニットを被冠状態で装着し、そのまま、棒状部３ａをケーシング１へ押し込むようにして、ベアリング支持金物５の取付フランジ５ａをケーシング１の側壁１ａの外面へボルトによって止着する。この際ベアリングユニット６の芯は回転軸３（棒状部３ａ）に追従するので、格別な芯出し作業を行なう必要はなくなる。
【００１９】
係る構成としたスクリューフィーダの回転軸シール構造は、回転軸が粉体等の重力荷重で撓み、回転すると僅かに振れるが、この振れはオイルシール９の外側にＯリング８が配置されているため、このＯリング８が変位を吸収し、その為、オイルシール９は回転中の回転軸３の軸芯変位に追従できることとなって、このオイルシール９の製品寿命が大幅に長くなる。
【産業上の利用可能性】
【００２０】
本発明に係るスクリューフィーダの回転軸シール構造及びその組立方法は上記のように構成されている。本実施例はオイルシール９を使用することとしたが、これにこだわらずグランドパッキングでも良く、この場合はグランドパッキングの外側に金属製パイプを設け、その外側にＯリングを設ければよい。
【００２１】
また、本実施例では変位吸収材としてＯリング８を示したが、これも可撓性のある材質、換言すると復元性のある柔らかい材質の部材で代替することも可能である。
【００２２】
さらには、外部からシールハウジング７を貫通させたガス吹き込み孔を形成して、ケーシング１内に向かって、運転中に粉体等がシール部分に侵入してしまうのを防ぐためのガスパージを行なうことも可能である。
【図面の簡単な説明】
【００２３】
【図１】本発明を実施したスクリューフィーダの回転軸シール構造を示す要部断面図である。
【符号の説明】
【００２４】
１    ケーシング
１ａ  側壁
１ｂ  挿通孔
２    カバー
３    回転軸
４    螺旋状羽根
５    ベアリング支持金物
５ａ  取付フランジ
６    ベアリングユニット
６ａ  ボールベアリング
７    シールハウジング
７ａ  取付フランジ
８    Ｏリング
９    オイルシール
【図１】
2009126666.tif 000003